(57)【要約】      （修正有）【課題】履物の構築には、縫製、接着、溶接、プレス、編み、織りなどの多数のステップが含まれ、一般的には手動で行われる。ミシンのようないくつかの機械が生産工程を短縮するために使用されるが、履物構築物は労働集約的で高価なままであるので、これを解決するためのシステム及び方法を提供する。【解決手段】少なくとも１つのロボットアームを用いて、第１平面に第１の複数のループを自動的に形成し、少なくとも１つのロボットアームを用いて、第１平面に直交する第２平面に第２の複数のループを自動的に形成し、第２の複数のループは第１の複数のループとスリップ可能に係合されている。このように、コード構造体６６を迅速に構築することができ、それによって労働投入及び経費を削減することができる。【選択図】図１
2018020096.tif 000002
【特許請求の範囲】
【請求項１】
少なくとも１つのロボットアームを用いて、第１平面に第１の複数のループを自動的に形成し、
前記少なくとも１つのロボットアームを用いて、前記第１平面に直交する第２平面に第２の複数のループを自動的に形成し、
前記第２の複数のループは前記第１の複数のループとスリップ可能に係合されている、
方法。
【請求項２】
前記少なくとも１つのロボットアームは、２以上のロボットアームを含む、
請求項１に記載の方法。
【請求項３】
前記第１及び第２の複数のループの各ループは、前記２以上のロボットアームの第１アームを自動的に制御して、第１方向において第１位置から第２位置へコードを供給し、前記第１アームを自動的に制御して、前記第１方向と反対の第２方向において前記第２位置から第３位置へ前記コードを供給することにより形成され、
前記第１方向及び前記第２方向は、前記第１及び第２平面の一方にあり、
前記第１位置から記第２位置までの距離は、前記第２位置から前記第３位置までの距離よりも小さい、
請求項１に記載の方法。
【請求項４】
前記コードは、前記第２位置でループ固定台の周りに自動的に供給され、前記２以上のロボットアームの第２アームは、前記コードを自由空間の前記第３位置に自動的に保持する、
請求項１に記載の方法。
【請求項５】
前記第１の複数のループは、履物物品のアイステイを通って自動的に供給され、前記第１の複数のループは、前記履物物品のバンプ（vamp）部分構造を含む、
請求項１に記載の方法。
【請求項６】
前記第２の複数のループは、前記履物物品のソールを通って自動的に供給され、前記第２の複数のループは、前記履物物品のランド（rand）部分構造を含む、
請求項５に記載の方法。
【請求項７】
さらに、前記ソールの外側の前記第２の複数のループを通ってアンカーコードを自動的に供給する、
請求項６に記載の方法。
【請求項８】
前記第１の複数のループの第１ループは、前記第２の複数のループの少なくとも２つのループと絡み合って摺動可能に移動することができ、前記少なくとも２つのループの第２ループは、前記第１ループを含む前記第１の複数のループの少なくとも２つのループと絡み合って摺動可能に移動することができる、
請求項１に記載の方法。
【請求項９】
ループ固定具と、
コードを自動的に供給するように構成された第１ロボットアームを含む少なくとも２つのロボットアームと、
非一時的メモリに格納された命令を用いて設定されたコントローラであって、実行されると前記コントローラは、
前記少なくとも２つのロボットアームを制御して前記コードを自動的に供給し、前記ループ固定具上の第１平面に第1の複数のループを形成し、
前記少なくとも２つのロボットアームを制御して前記コードを自動的に供給し、前記第１平面に直交する第２平面に第２の複数のループを形成し、前記第２の複数のループを前記第１の複数のループとスリップ可能に係合する、
システム。
【請求項１０】
前記コントローラは、さらに、前記非一時的メモリの命令を用いて設定され、実行されると、前記コントローラは前記第１ロボットアームのための第１パスを生成し、
前記コードを供給して前記第１の複数のループを形成するように前記少なくとも２つのロボットアームを制御することは、前記第１ロボットアームを制御して前記コードを前記第１パスに沿って供給することを含む、
請求項９に記載のシステム。
【請求項１１】
前記コードは第１コードと第２コードを含み、前記第１コードは前記第１の複数のループを形成し、前記第２コードは前記第２の複数のループを形成する、
請求項９に記載のシステム。
【請求項１２】
前記コントローラは、さらに前記非一時的メモリの命令を用いて設定され、実行されると、前記コントローラは、前記第１の複数のループを形成する前に、前記第１コードで準備された第１アームエンドツールを選択するように前記第１ロボットアームに命令し、
前記第２の複数のループを形成する前に、前記第２コードで準備された第２アームエンドツールを選択するように前記第１ロボットアームに命令する、
請求項１１に記載のシステム。
【請求項１３】
前記第１アームエンドツールと前記第２アームエンドツールは、前記第１ロボットアームに隣接して配置されたラックに格納されている、
請求項１２に記載のシステム。
【請求項１４】
前記少なくとも２つのロボットアームの第２ロボットアームは、前記第１ロボットアームが前記コードを供給して、前記第１及び第２の複数のループを形成するときに、前記コードを選択位置に保持するように構成されたアームエンドツールを含む、
請求項９に記載のシステム。
【請求項１５】
アイステイ及びソールは、前記ループ固定具上に配置され、履物物品を形成するために前記第１の複数のループは前記アイステイを通って供給され、前記第２の複数のループは前記ソールを通って供給される、
請求項９に記載のシステム。
【請求項１６】
前記第１及び第２の複数のループの各ループのサイズは、前記履物物品のサイズに基づいて決定される、
請求項１５に記載のシステム。
【請求項１７】
ロボットアームと、
前記ロボットアームに通信可能に結合され、非一時的メモリの命令を用いて設定されたコントローラであって、実行されると前記コントローラは、
第１平面に第１の複数のループを形成するために前記ロボットアームを制御して第１コードを供給し、前記第１の複数のループの少なくとも１つのループが少なくとも部分的にソールに供給され、
前記第１平面に直交する第２平面に第２の複数のループを形成するために前記ロボットアームを制御して第２コードを供給し、前記第２の複数のループを前記第１の複数のループにスリップ可能に係合する、
システム。
【請求項１８】
前記ソールは少なくとも１つの材料を含み、前記少なくとも１つの材料と前記少なくとも１つのループとの間の摩擦は、前記少なくとも１つのループを適所に保持する、
請求項１７に記載のシステム。
【請求項１９】
前記第１の複数のループの第１ループは、前記第２の複数のループの少なくとも２つのループと絡み合って摺動可能に移動することができ、前記少なくとも２つのループの第２ループは、前記第１ループを含む前記第１の複数のループの少なくとも２つのループと絡み合って摺動可能に移動することができる、
請求項１７に記載のシステム。
【請求項２０】
前記ロボットアームの端部に結合されたアームエンドツールをさらに備え、前記アームエンドツールは、前記第１コード及び前記第２コードの少なくとも１つを供給するように構成されている、
請求項１７に記載のシステム。
【発明の詳細な説明】
【背景技術】
【０００１】
本願は、“SYSTEMS AND METHODS FOR AUTOMATIC PRODUCTION OF A CORD STRUCTURE”という名称の２０１６年６月６日に出願された米国仮出願第６２／３４６３９９号の優先権を主張し、そのすべての内容はすべての目的のために参照により組み込まれる。
【０００２】
履物構築物は、一般的に、履物物品を形成するための、平坦な材料の三次元形状への加工に依存している。布地、皮革又は他の材料は、履物のアッパーのような物品の所望の形状を作り出すために、裁断され、縫製され又は別の方法で取り付けられ、足型の周りに巻き付けられる。伝統的に、履物の構築には、縫製（sewing）、接着（boning）、溶接（welding）、プレス（pressing）、編み（knitting）、織り（weaving）などの多数のステップが含まれる。
【発明の概要】
【発明が解決しようとする課題】
【０００３】
本発明者らは、この伝統的なアプローチでいくつかの欠点を認識した。例えば、上記のステップは、一般的には手動で行われる。ミシンのようないくつかの機械が生産工程を短縮するために使用されるが、履物構築物は労働集約的で高価なままである。
【課題を解決するための手段】
【０００４】
上記の問題に少なくとも部分的に対処するために、本発明者らは、履物構築物に対する別のアプローチを取ってきた。一例では、履物物品は、繊維又はコードがコード構造体に形成されたループ状のアッパーを含み得る。例えば、コード構造体はロボットアームによって自動的に構築される。例えば、コード構造体を構築する方法は、少なくとも１つのロボットアームを用いて、第１平面に第１の複数のループを自動的に形成し、少なくとも１つのロボットアームを用いて、第１平面に直交する第２平面に第２の複数のループを自動的に形成し、第２の複数のループは第１の複数のループとスリップ可能に係合されている。このように、履物物品又は他のコード構造体を迅速に構築することができ、それによって労働投入及び経費を削減することができる。
【図面の簡単な説明】
【０００５】
【図１】履物物品の一例を示す。
【図２】図１に示す履物物品におけるコードの絡み合ったパターンの一例を示す。
【図３】コード構造体を自動的に製造するための例示的なシステムを示す。
【図４】コード構造体を自動的に製造するための例示的な装置を示す。
【図５】ループ固定具の一例を示す。
【図６】コードを供給するための例示的なアームエンドツールを示す。
【図７】コード構造体を有する履物物品を自動的に製造するための例示的な方法を示すハイレベルのフローチャートを示す。
【図８】コード構造体を自動的に製造するための例示的な方法を示すハイレベルのフローチャートを示す。
【図９】コード構造体を製造するための例示的なルーチンを示す。
【図１０】コード構造体の第１ループセットの構成を示す。
【図１１】図１０の第１ループセットを通る第２ループセットの構成を示す。図１は、縮尺通りに示されている。しかし、必要に応じて他の相対的な寸法を用いてもよい。
【発明を実施するための形態】
【０００６】
ここでは、コード構造体を自動的に構築するためのシステム及び方法が説明される。このようなコード構造体は、図１に示す履物物品のような、履物物品のコード状のアッパーを含み得る。コード構造体は、図２に示すように、三次元構造を形成する、異なるコードの相互接続されたループを含み得る。一般にコード構造体又は特に履物物品を自動的に構築するためのシステムが図３に示されている。このようなシステムは、図４に示す装置のような、コード構造体を自動的に織る２つ以上のロボットアームのような、少なくとも１つのロボットアームを含む、コード構造体構築装置を含む。コード構造体は、周囲に複数のガイドポストを含み、ループを構築することができる。図５に示すループ固定具のような、ループ固定具上のロボットアームによって少なくとも部分的に構成され得る。異なるループセットは、異なる色のコードから構成されてもよく、その各々は、図６に示されたアームエンドツールのような、異なるアームエンドツールに通されてもよい。このようなアームエンドツールは、少なくとも１つのロボットアームの端部に取り付けられ、ロボットアームがコード構造体を形成するために三次元空間内にコードを供給することを可能にする。コード構築装置は、図７に示す方法のような、履物構造の簡略化された方法を提供する。図８に示す方法のような、コード構造体を自動的に構築する方法では、コード構築装置は、第１平面に第１ループセットを形成し、第１平面に直交する第２平面に第１ループセットを通る第２ループセットを形成する。コードを供給して、ループを形成するルーチンが、図９〜１１に示されている。
【０００７】
その一例が図１に示されている履物物品は、三次元形態の適合構造体（3-dimensional fitting construction）を提供する、コード構造体中の相互接続された湾曲部（bight）を含み得る。コード構造体は、可撓性及び快適性を保持しながら、履物物品のアッパー部の運動範囲を増加させる。コード構造体は、湾曲部によって提供される相対的な動きに起因して、使用中に足の形状に高度に適合し得る。例えば、側方側（lateral）から中間側（medial）までアッパーを横切って、かつ、前足領域（forefoot region）を横切って、湾曲部相互接続のアレイを設けることにより、例えば、数百の調整がコード構造体によって自動的に行われ、湾曲部間の各コード部分の適切な長さが達成される。その結果、履物物品によって提供される快適性が高まる。
【０００８】
さらに、コード構造体は、履物物品のソールから離して平行に配置されたアンカーコードを含む。コード構造体の残りの部分は、湾曲部接続のアレイを介してアンカーコードに結合されてもよい。このようにして、他のアッパー材料とは無関係に、コード構造体に張力をかけることができ、それにより、コード構造体をより正確に適合させ、機能性を増加させることを可能にする。さらに、履物物品を構築する方法は、コード構造体がソールに直接ではなくアッパーに固定されるので単純化される。
【０００９】
本明細書に記載される例示的なコード構造体はまた、足型を用いる他のタイプの靴構築物と比較した場合、履物物品の製造プロセスが単純化されることを可能にする。
【００１０】
図１は、例示的な履物物品５０を示す。履物物品５０は、ソール５２を含み得る。一例では、ソール５２は、インソール／ミッドソールであり得る。いくつかの例では、インソール及びミッドソールは、履物物品の単一の構成要素であり得る。しかしながら、他の実施例では、ソールは、ソール又はアウトソールの一部を形成するための、及び／又は、ソール又はアウトソールの形成のため履物を固定するための、記載された製造方法の間に使用される布様の繊維材料であり得るが、限定されるものではない。さらに、他の実施例では、インソール及びミッドソールは履物物品の別個の構成要素であってもよい。さらに、一例では、履物物品５０は、アウトソールを含み得る。しかし、他の実施例では、履物物品５０はアウトソールを含まなくてもよく、又は、アウトソールはソール５２に一体化されてもよい。
【００１１】
ソール５２は、コード構造体６６に取り付けられている。コード構造体６６は、アッパー６７に含まれる。コード構造体は、互いにインターロックする多数のコード部分から形成され得る。コードは、ストリング（string）、撚糸（twine）、ヤーン（yarn）、ロープ（rope）、ケーブル（cable）、編み組み又は撚り材料のストランド（strands）、及び／又は、互いに撚り合わされるか又は組み合わされた、先に挙げた例の組み合わせを含む他のコード様構造体を含み得る。一例では、コードは、外側シース及び内側撚糸を備えた、約１／８インチ径のナイロンコードを含む。もちろん、他の寸法も用いられ得る。他の例では、コードは、同じか又は異なる材料であり得る、中央の空隙を充填する内側編組と外側編組を備えた二重編組ナイロンであり得る。コードは、可撓性であり得るが、自由な状態でなおその形状のいくらかを保持し得る。さらに、コードは、いくつかのエラストマー成分を有し得る。さらに、異なるコード部分（例えば、ランドと比較してバンプ）は、異なる程度の可撓性、弾力性などを有し得る。一例では、異なる材料が、コード構造体６６の異なる部分に用いられ得る。例えば、より可撓性のあるタイプのコードがコード構造体６６の上部部分に用いられてもよく、より可撓性のないタイプのコードがコード構造体の下部部分に用いられてもよい。さらに、ソールに連結されるコード構造体の部分は、一例では、ソールによって全体的に覆われてもよい。他の例では、ソールに連結されるコード構造体の部分は、部分的にのみ覆われてもよい。例えば、つま先の近傍のコード構造体の部分は覆われてもよく、踵の近傍のコード構造体の部分は覆われていなくてもよく、またはその逆であってもよい。コード構造体の覆われる部分は、石、埃及び／又は外部環境からの他の粒子による摩耗によって引き起こされるコードの早期摩耗（premature wear）の可能性を低減する。結果として、履物物品の寿命が長くなる。
【００１２】
一例では、コード構造体６６内の１以上のコードが、ソール５２の開口部を通って延びて、ソールのコード構造体への結合を容易にすることができる。さらに、代替的に、ソールとコード構造体との結合を可能にするために、コード構造体の一部はソールに、縫い合わせられ、接着して貼り合わせられ（例えば、接着され（glued））、及び／又はソールにスナップ留めされてもよい。他の例では、コード構造体に取り付けられた複数のアンカーポイントがソールに固定して取り付けられ得る（例えば、ソールへ射出成形され得る）。アンカーポイントは個々のコードループであり得る。
【００１３】
一例では、コード構造体６６は、ループ状のアッパーであり得る。このような例では、ループ状のアッパーは格子状のパターンで形成され得るが、ソール５２から離れて位置する複数のスリップ可能な境界には結び目が実質的にない。
【００１４】
コード構造体６６は、履物物品５０のアッパーであり得る。コード構造体６６は、少なくとも部分的に足を囲み得る。コード構造体６６は、ランド部分構造体６８を含む。ランド部分構造体は、ソール５２に結合されている。特に、一例では、ランド部分構造体６８のソール取り付け湾曲部は、ソールの取り付け開口部に結合されてもよく、そして／又は、それを通って延びてもよい。一例では、取り付け湾曲部は、ランド部分構造体６８中に単一のコードによって形成され得る。従って、単一のコードが複数の湾曲部を有し得る。湾曲部は、コード構造体６６におけるより大きなコードの湾曲した部分（portion）又はセクション（section）である。このため、湾曲部はコード内のループの一部であり得る。
【００１５】
ソール部分構造体６８は、バンプ取り付け湾曲部７４をさらに含む。バンプ取り付け湾曲部７４は、（例えば、相互接続され、インターロックされ、縫い合わされ、織り合わされ、そして／又は摺動可能に係合されて）コード構造体６６中のバンプ部分構造体７８に含まれるランド取り付け湾曲部７６に結合される。バンプ取り付け湾曲部７４とランド取り付け湾曲部との間の相互接続は、ループライン６９を形成する。ループライン６９は、ランド部分構造体６８とバンプ部分構造体７８との間の境界であり得る。ループライン６９は、履物物品６０の踵側６０から履物物品のつま先側５８の方向に延びる。ループライン６９はまた、履物物品５０の脛骨側６２から履物物品の腓骨側６４まで延びる。ループライン６９は、履物物品の周りに周縁に延在してもよく、一例では、アッパー全体を横切っていてもよい。さらに、ループライン６９は、履物物品５０の少なくとも一部の周りに弧状に延び得ることが理解されるであろう。他のループライン構成も企図され得る。例えば、ループラインは、第１側方側から第２側方側に、履物物品を横切って延び得る。さらに、他の例では、ループラインは、ヒールカウンタの第１側からヒールカウンタの第２側に弧状に履物物品の周りに延び得る。さらに他の例では、ループラインは、履物物品を横切って側方に延びてもよく、履物物品の前部（例えば、つま先側）の周りに弧状に延びてもよい。さらに他の例では、ループラインは、履物物品のつま先側又は踵側に隣接する部分のような、履物物品の一部の周りにのみ延在してもよい。さらにまた一例では、履物物品は、複数のループラインを含み得る。
【００１６】
図示された例では、バンプ部分構造体７８は、ソール５２から離間している（例えば、垂直方向に離間している）。さらに、ランド部分構造体６８は、ソール５２上に垂直に配置することができ、バンプ部分構造体７８は、ランド部分構造上に垂直に配置することができる。垂直の軸が参考のために設けられている。しかしながら、必要に応じて他の履物の向きが用いられ得ることが理解されよう。履物物品が着用されていないときに、バンプ部分構造体７８は、ソール５２から離間していてもよいことが理解されよう。コード構造体６６は、バンプ部分構造体７８とランド部分構造体６８との間の相互接続に起因して、コードの内部構造とともに、その形状を保持することができる。例示的な相互接続は、本明細書においてさらに詳細に議論される。
【００１７】
図2は、バンプ取り付け湾曲部７４とランド取り付け湾曲部７６との間の少なくとも部分的に摺動する相互接続のより詳細な図を示す。図２に示すように、バンプ取り付け湾曲部７４がランド取り付け湾曲部とインターロックして示されていることが理解されよう。このようにして、必要であれば、接着剤を使用することなく、バンプ部分構造体をランド部分構造体に結合することができる。しかしながら、いくつかの例では、接着剤を使用して履物物品の特定の要素を結合することができることが理解されよう。一例では、湾曲部間の摺動接続に結び目がない場合がある。しかし、他の例では、バンプ取り付け湾曲部７４の少なくとも一部は、ランド取り付け湾曲部７６の少なくとも一部に固定して結合され得る。他の例では、縫合ロック（stitched locks）が部分的に摺動する相互接続を提供するために用いられ得る。例えば、緩い又は固い縫合境界がアッパーのコードの接合部に設けられ得る。履物物品の様々な部分におけるスリップ可能な係合の量を制御することにより、着用者の快適性を高めるために、所望のフィッティング特性が達成され得る。図３〜１５を参照して本明細書でさらに説明されるシステム及び方法は、図２に示されるバンプ及びランド部分構造体を含むコード構造体を形成することを対象とすることができる。
【００１８】
図１及び図２に示すコード構造体は、第２の複数のループ（例えば、バンプ部分構造体）の少なくとも２つのループと絡み合って摺動可能に移動できる第１の複数のループ（例えば、ランド部分構造体）の第１ループと、第１ループを含む第１の複数のループの少なくとも２つのループと絡み合って摺動可能に移動することができる少なくとも２つのループの第２ループとを含む。このようなループ構成は、図１及び図２に示すスリップ可能に係合し、耐久性のあるコード構造体を可能にする。
【００１９】
図１に戻り、バンプ部分構造体７８はさらにレース取り付け湾曲部８０を含む。図１において、レース取り付け湾曲部８０は、レースコード８２に連結されて示されている。具体的には、レースコード８２は、レース取り付け湾曲部８０を通って延びる。レースコード８２の長さは、着用者によって調節され得る。しかしながら、代替のレースコード構成が考えられている。例えば、履物物品は、レースコードなしで構築され得る。このようにして、着用者は、レースコードを結ぶ必要なしで、履物物品を迅速かつ容易に着脱することができる。このような例では、エラストマー材料が履物物品に提供されてもよく、コード構造体の部分の制御された拡大及び縮小を可能にする。さらに、異なるレースのパターンが考慮されている。例えば、コード構造体は、アイステイ（eyestays）を含み得る。コード構造体におけるコードは、アイステイを通して延び得る。
【００２０】
レースコード８２は、いくつかの例では、コード構造体６６に含まれ得る。しかし、他の例では、レースコード８２は、コード構造体６６に含まれなくてもよい。このような例では、エラストマー又は他の適切な材料が、スリップオン能力を備えた履物物品を提供するために用いられ得る。
【００２１】
多くの相対的な、バンプコード、ランドコード、及び／又はレースコードの長さが企図される。ランドコード８４及びバンプコード８６の部分はまた、図２に示される。ソール取り付け湾曲部７０もまた図２に示される。図示されるように、ソールコード７３（本明細書ではアンカーコードとも呼ばれる）は、ソール取り付け湾曲部７０を絡み合わされる。
【００２２】
本明細書に記載される構築方法は、いくつかの実施形態で、最小限の工具支出でサイジングをカスタマイズし、サイジングを調節するための選択を可能にすることが理解される。例えば、コードの長さに基づくアッパーの構築は、アッパーパターンを変更することなく、又は、異なるサイズの切断ダイを得ることなく、サイズの変動を可能にする。従って、いくつかの実施形態では、アッパーのサイズは、コードの長さを変えることによって変更され得る。ループは、各サイズでそれらの相対的位置にとどまり得る。このような構築物は、同じサイズの工具を利用することによってコストを低減する。
【００２３】
同様に、履物のカスタマイゼーションは、特定の使用者のための適合を改善するために適用され得る。足の電子的スキャンの生成により、カスタマイズされ、個人化されたコードが、この足のスキャンに基づいてカスタマイズされた履物を生成するために用いられ得る。例えば、ループを長くすること（又は短くすること）、ループラインの位置決め及びサイジング、コードサイズの調節は、単独又は組み合わせて、スキャンされた足の特定の寸法にアッパーを仕立て、カスタムマイズされた適合を提供するために調節され得る。
【００２４】
図１に戻り、ランドコード８４及びバンプコード８６は、図１では丸いコードであるとして示されている。しかし、他の形状が企図されている。例えば、１以上のコードは平坦なコードであり得るか、又は１以上のコードは平坦な端部及び丸い中間部分を有し得る。他の例では、１以上のコードは、１以上の平坦な部分及び１以上の丸い部分を有し得る。例えば、コードは、平坦な部分が後に続く丸い部分を含み、その他もろもろであり得る。さらに、ソールコード７３は、平坦でもよく、丸くてもよく、変化する幾何学的形状を備えた異なる部分を有してもよい。さらに、ランドコード８４、バンプコード８６及びレースコード８２はすべて、類似の断面領域（例えば、直径）及び／又は幾何学的形状を有するとして示されている。一例では、１以上のコードの直径は、１／８インチと１／１６インチとの間であり得る。しかし、他の例では、コードは変化する幅を有し得る。ソールコード７３は、一例で、ランドコード、バンプコード及び／又はレースコードに類似の幾何学的形状を有し得ることが理解される。しかし、他の例では、ランドコード８４、バンプコード８６、ソールコード７３及び／又はレースコード８２の断面領域及び又は幾何学的形状は変動し得る。例えば、ランドコードの断面領域は、バンプコードより大きくてもよい。他の例では、ランドコードは円形であり得、バンプコードは平坦であり得る。
【００２５】
さらに、いくつかの例では、ランドコード８４、バンプコード８６及び／又はレースコード８２は、類似の材料（単数又は複数）を含み得る。しかし、他の例では、前述のコードは、異なる材料を含み得る。１以上のコードは、ポリプロピレン、ナイロン、ポリエステル、ポリエチレン、アラミド及び／又はアクリレートポリマーのような合成繊維を含み得る。さらに、１以上のコードは、綿、リネン、コイアなどの天然繊維を含み得る。さらに、一例では、１以上のコードは、ポリマー材料を含み得る。
【００２６】
さらに、ランドコード８４、バンプコード８６及び／又はレースコード８２は、異なる材料特性で設計されてもよく、履物物品が所望の構造的特性を有することを可能にする。例えば、レースコード８２は、ランドコード８４及び／又はバンプコード８６よりも大きい弾性を有し得る。
【００２７】
図１に示されるように、バンプ取り付け湾曲部の垂直高さは、履物物品５０の踵側６０に向かって延びる後方向に増加する。レースコードからランドコードに延びる、インターロックされたバンプコード部分の幅はまた、履物物品５０の踵側６０に向かって延びる後方向に増加し得る。
【００２８】
履物物品５０はまた、ヒールカウンタ９７を含み得る。ヒールカウンタ又は履物物品の他の支持構造体が、上述されたアッパーに含まれ得る。ヒールカウンタ９７の剛性（rigidity）／可撓性は、コード構造体６６への所望の量の支持を提供するように選択され得ることが理解される。具体的には、ヒールカウンタ９７は、コード構造体が、所望されない量、ソールに向かう方向に外方及び／又は下方に曲がることを防ぎ得る。このようにして、コード構造体は、所望の形状を維持し得る。結果として、履物物品の着用者は、履物物品を迅速かつ心地良く履き、脱ぎ得る。ヒールカウンタ９７は、皮革、合成皮革、織物などのような、コード構造体６６とは異なる材料を含み得る。しかし、いくつかの例では、熱（heat）支持構造体はまた、コードを含み得る。いくつかの例では、ループライン６９は、ヒールカウンタ９７を通って延び得る。さらに、ヒールカウンタ９７は、ソール５２に連結され得る。具体的には、いくつかの例では、ヒールカウンタ構造体は、ソール５２から（例えば、垂直又は角度をなして）延び得る。ヒールカウンタ９７は、示された例では、ランド部分構造体６８に連結されている。接続コード９８は、ランドサブ構造体６８中の湾曲部を通り、ヒールカウンタ９７中の開口部９９を通って延びているのが示されている。このようにして、ヒールカウンタ９７は、コード構造体への支持を提供し、コード構造体の一部を外部環境から保護する。さらに又は代替的に、ヒールカウンタ９７は、バンプ部分構造体７８に連結されてもよく、それによって部分構造体への支持を提供する。ヒールカウンタは、コード構造体６６より大きい剛性（rigidity）を有し得る。一例では、接続コード９８は、バンプコード８６又はランドコード８４の一部分であり得る。さらにコード構造体の一部は、ヒールカウンタ９７の幅の周りに延びる。しかし、他のヒールカウンタ構成が企図される。一例では、コード構造体のコードの端部は、ヒールカウンタに連結され得るか、そして／又はヒールカウンタ内で互いに連結されてもよい。一例では、ヒールカウンタ９７は、側面方向より長手方向でより大きな剛性（stiffness）を有し得る。支持体の垂直の補強は、コード構造体に所望の量の支持を提供し得る。しかし、他のヒールカウンタ９７材料特性が企図されている。
【００２９】
図１に示される履物物品５０はさらに、アイステイ（不図示）を含む。コード構造体６６中のコードは、アイステイを通って延び得る。示される例では、１以上のコード部分がアイステイを通って延びることが理解される。しかし、他の例では、代替のアイステイデザインが企図されている。アイステイは、コード構造体に所望のコード間隔及びコード支持を提供し得る。このようにして、アイステイは、それを通って延びるコードの自由な動きを制限し得る。アイステイは、アッパー構造体に含まれ得る。一例では、アッパー構造体は、履物物品のタンに隣接し得る。アッパー構造体は、一例では、コード構造体とは異なる材料を含み得る。例示のアイステイ材料は、布地、皮革、合成皮革、織物、ポリマー材料などを含む。他の例では、履物物品は、複数のアイステイを含み得る。
【００３０】
さらに、いくつかの例では、１以上のシースが、ランドコード８４及びバンプコード８６の少なくとも１つの一部分を包み込み得る（例えば、周辺を包み込み得る）。従って、シースは、コード構造体中のコードの種々の部分を取り囲み得る。例えば、複数のシースが、バンプ取り付け湾曲部７４からランド取り付け湾曲部７６へのランドコード８４の一部分を取り囲み得る。このように、シースは、コードのための保護カバーとして作用し得る。いくつかの例では、シースは、コードの外側表面と面を共有して接触していてもよい。しかし、他の例では、シースは、コードの外側表面から離れて間隔を置かれてもよい。シースは、一例では、円筒状であり得る。しかし、他のシースの幾何学的形状が企図されている。さらに、複数のシースが、履物物品のつま先側の周りでトウキャップを形成するために用いられ得る。シースは、コード構造体６６の所望の領域に増加した構造的一体性を提供し得、コード構造体６６が所望の形状を維持することを可能にする。これらシースは、バンプコード及び／又はランドコードとは異なる材料を含み得る。一例では、シースは、ポリマー材料を含み得る。シースはまた、コードを損傷から保護し得る。
【００３１】
履物物品は、種々のアッパー部分（コード構造体及びアッパー構造体）が互いに独立して作用することを可能にする二重ラスティッドシュトローベル及びストリング構造（double lasted strobel and string construction）を用いて製造することができる。これらのアッパー部分は、レース取り付け湾曲部のレースによって一体化されている。
【００３２】
図３は、図１及び図２に関して上述された履物物品のような履物物品、又は、他のコード構造体を含む物品のコード構造体を自動的に製造するための例示的な自動システム３００を示すブロック図を示す。自動システム３００は、自動的にコード構造体を構築するように構成されたコード構築装置３０１を含む。コード構築装置３０１は、第１アームエンドツール３０６を備えた第１ロボットアーム３０５、第２アームエンドツール３０８を備えた第２ロボットアーム３０７、コントローラ３１０、ループ固定具３１５を含む。第１及び第２ロボットアームとして説明されているが、単一のロボット、又は２、３又はそれ以上のロボット／ロボットアームが存在し得ることを理解されたい。この例は、例示のために提供されたものであり、限定的なものではない。
【００３３】
ロボットアーム３０５及び３０７は、非限定的な例として、回転及び並進変位し得るプログラム可能な関節機械アームを備え得る。ロボットアーム３０５及び３０７は、ロボットアームがタスクを実行することを可能にする１又は複数の関節を含み得る。 いくつかの例では、ロボットアームは多関節ロボットであり、従って２以上の関節を含む。
【００３４】
ロボットアーム３０５及び３０７のようなコード構築装置３０１の構成要素は、ハウジング３０２内に収容されてもよい。ハウジング３０２は、ロボットアーム３０５及び３０７の観察を可能にするために、ガラス又は別の透明材料で部分的に構成されてもよい。非限定的な例として、図４は、例示的な装置４００の絵図である。装置４００は、ハウジング４１０内に収容された第１ロボットアーム４０５及び第２ロボットアーム４０７を含む。図示のように、ハウジング４１０は部分的に透明であり、コード構造体の構築を観察することができ、ハウジング４１０内の装置４００の構成要素へのアクセスを可能にするドアをさらに含む。
【００３５】
第１ロボットアーム３０５の第１アームエンドツール３０６は、コード３２１又は他の繊維を通した針を備えてもよく、針を通してコード３２１を供給するように構成されてもよい。本明細書においてさらに説明されるように、第１アームエンドツール３０６は、当該第１アームエンドツール３０６が所定のパスに沿って第１ロボットアーム３０５によって移動されるときに、針の先端を通してコードを供給又は押し出すように構成された装置を備え得る。例示的な第１アームエンドツール３０６は、図６に関して本明細書でさらに説明される。第２ロボットアーム３０７の第２アームエンドツール３０８は、コード３２１の一部をつかむ、保持する、挟む、又は別の方法で結合する作動時に、ソレノイド又は他の適切な装置を含み得る。２つのロボットアーム３０５、３０７は、本明細書でさらに説明するように、コード構造体を構築する際に互いに支援し得る。
【００３６】
例示的な実施形態に従って説明されているが、第２の実施形態では、両方のロボットアームが同時に能動的に針の穴を通す（thread）ことができる。両方のロボットアームの能動的な針通し（active threading）は、両方のロボットアームがコードを針の穴に通し、保持するように機能することができる。 このように、能動的に針を通す単一のロボットアームのいくつかの実施例に記載されているが、２（又はそれ以上）の能動的な針通しアームが存在し得ることを理解されたい。
【００３７】
コード構築装置３０１は、ロボットアーム３０５及び３０７に通信可能に結合され、実行時にコントローラに様々な動作を実行させる非一時メモリ３１２内の実行可能命令３１３で構成されたコントローラ３１０をさらに含むことができる。その目的のために、コントローラ３１０は、プロセッサ３１１と、非一時的メモリ３１２とを備える。コントローラ３１０の例示的な方法は、図９に関してさらに説明される。さらに、コントローラ３１０は、（非限定な例として、キーボード、タッチスクリーン、マウス、ジョイスティックなどを介した）入力を受け取るためのユーザインターフェース（例えば、図４に示すユーザインターフェース４１８）と、（非限定的な例として、ディスプレイ又はタッチスクリーンデバイスを介した）ディスプレイ出力を含み得る。
【００３８】
コントローラ３１０は単一の存在として示されているが、いくつかの実施形態では、コントローラ３１０は複数のコントローラを備え得ることを理解されたい。例示的かつ非限定的な例として、コントローラ３１０は、各ロボットアーム用のコントローラと、別々のロボットアームコントローラを調整するための中央コントローラとを含み得る。
【００３９】
コード構築装置３０１は、ロボットアーム３０５及び３０７がその上又はその中を通ってコード構造体を構築する、テンプレート又はガイドポストを提供するループ固定具３１５を含み得る。図１及び図２に関して上述した履物用品のような履物用品の構築に向けられた実施形態では、ループ固定具３１５は、コード構造体をループさせ得るソール及び／又はアイステイを受け取るように構成され得る。さらに、ループ固定具３１５は、左ループ固定具及び右ループ固定具（すなわち、左足用履物物品を構築するためのループ固定具及び右足用履物物品を構築するためのループ固定具）を備え得る。 いくつかの例では、ループ固定具３１５は、複数の履物物品サイズに対して適合可能又は構成可能である。 しかし、他の例では、異なるサイズの別々のループ固定具を含み得る。
【００４０】
図５は、例示的なループ固定具５００を示す。いくつかの例では、ループ固定具は、アイステイ（不図示）及びソール（不図示）で予め組み立てられている。ソールは、ループ固定具５００内の間隙５０８に挿入され得、一方、アイステイはループ固定具５００の最上部５０３に配置され得る。図示されているように、ループ固定具５００は、その周囲に複数のガイドポスト５１０を含み、それを通ってロボットアームはコード構造体のループを作り出し得る。さらに、ループ固定具５００は、当該ループ固定具５００を自動システム３００内にしっかりと固定することを可能にする取り付け構造体５１５を含む。
【００４１】
いくつかの例では、装置は、左及び右の履物物品に対応する左ループ固定具及び右ループ固定具を含み得る。コードを正しい長さに織るためにループ固定具が用いられる。ループ固定具はまた、構築中に履物物品全体を一緒に保持する。
【００４２】
再び図３を参照すると、ループ固定具３１５は、装置３０１内の第１ロボットアーム３０５と第２ロボットアーム３０７との間に配置され得る。図４に示されるこのような構成では、ループ固定具４１５は、ロボットアーム４０５及び４０７もまた取り付けられている表面上に取り付けられている。ロボットアーム４０５及び４０７のループ固定具３１５に対する相対的な位置は、本明細書で図示及び説明される例示的な実施形態に限定されないことを理解されたい。
【００４３】
コード構築装置３０１は、第１ロボットアーム用の複数のアームエンドツールを格納するアームエンドツールラック３１８をさらに含み得る。例えば、アームエンドツールラック３１８は、異なる色及び／又はサイズのコードで針通しされた各アームエンドツールを含み得る。第１ロボットアーム３０５は、本明細書でさらに説明するように、色及び／又はサイズ要求に基づいてアームエンドツールラック３１８からアームエンドツール３０６を自動的に選択することができる。アームエンドツールラック３１８は、一例として、アームエンドツールラック３１８に格納されたアームエンドツールが、選択された色及び／又はループサイズに基づいてアームエンドツールラック３１８から選択されたアームエンドツールを選択し得る第１ロボットアーム４０５にアクセス可能となるように、コード構築装置４００のハウジング４１０内に配置され得る。
【００４４】
図６は、例示的なアームエンドツール６００を示す。アームエンドツールラックは、トップアームエンドツール及びボトムアームエンドツールを含む複数のアームエンドツールを保持し得る。履物物品が異なる色の上部及び下部ループ（例えば、第１及び第２の複数のループ）を用いて構築される場合、ロボットアームはアームエンドツールラックから正しいアームエンドツールを自動的に選択するし、履物用品を組み立てる。
【００４５】
アームエンドツール６００は、コードを供給するように構成された装置６０２を備え得る。そのために、アームエンドツール６００は、装置６０２に固定して結合され、コードを選択された位置に正確に供給するように構成された、針６０４をさらに備えることができる。コード（不図示）は、デバイス６０２内に、針６０４を通って糸通しされ得る。コードは、例えば、コードスプール又はボックス（不図示）から離れて針６０４中にコードを引っ張り及び／又は押し出す装置６０２から離れて糸巻きされ得る。コードは、針６０４の端部を通って選択的かつ自動的に供給されてもよい。いくつかの例では、装置６０２は、アームエンドツール６００から供給されたコードを切断し、解放するように構成されたコード切断装置（不図示）を含み得る。
【００４６】
再び図３を参照すると、上述した異なるコード３２１は、別々のコードボックス３２０に格納され得る。いくつかの例では、コードボックス３２０は、コード構築装置３０１の外部にあってもよい。しかし、他の例では、コードボックス３２０は、コード構築装置３０１内に配置され得る。
【００４７】
いくつかの例では、コード構造体を自動的に製造するための装置は、複数のコードボックスを含み得る。装置は、ハウジング４１０内に収容された第１ロボットアーム４０５及び第２ロボットアーム４０７、ループ固定具４１５、及びアームエンドツールラック４２０を備えるコード構築装置４００を含み得る。装置はさらに、 複数のコードボックスを収納するボックスラックを備えている。各コードボックスは特定の色のコードを収容し得る。いくつかの例では、各ボックスのコードは、アームエンドツールラック内の対応するアームエンドツールに通され得る。他の例では、装置のオペレータは、コードボックス３２０からコード３２１を手動で取得し、アームエンドツールラック３１８内のアームエンドツールに通すことができる。コードボックス３２０は、コード構築装置のハウジング４１０の外部に配置されるが、いくつかの例では、１以上のコードボックス３２０がハウジング４１０内に収容される。
【００４８】
再び図３を参照すると、システム３００は、コード構築装置３０１に通信可能に接続されたコンピュータ３３０をさらに含み得る。いくつかの実施形態では、コンピュータ３３０は、コード構築装置３０１によって実行されるコード構造体構築プロセスのビデオをキャプチャするように構成されたオプションのカメラ３３２と通信可能に結合されている。コンピュータ３３０は、カメラ３３２によって取り込まれたビデオを、公衆インターネットなどのネットワーク３４０を介して、クライアントコンピュータ３４５に送信するように任意で構成され得る。
【００４９】
さらに、コンピュータ３３０は、ネットワーク３４０を介してクライアントコンピュータ３４５からカスタムオーダーを受信するように構成され、カスタムオーダーをコード構築装置３０１に通信することができる。カスタムオーダーは、１又は複数の所望の色、所望のサイズ及び所望の製品を含む。カスタムオーダーを受信すると、コード構築装置３０１は、１又は複数の所望の色、所望のサイズ及び所望の製品に従って、注文製品を自動的に構築することができる。オプションのカメラ３３２を含む実施形態では、カメラ３３２は、プロセス全体のビデオをキャプチャして、クライアントコンピュータ３４５に戻すことができる。このようにして、顧客は、クライアントコンピュータ３４５の表示装置を介して、準備されるカスタムオーダーのビデオストリームを見ることができる。コード構築装置３０１によって実行される履物物品の構築プロセスは、従来の履物物品構築方法と比較して短時間である（例えば、いくつかの例では、プロセスは約１０分以内に完了することができる）ので、顧客は、構築を見て、注文が正しく実行されていることを確認することができる。
【００５０】
図７は、コード構造体を有する履物物品を自動的に製造する方法例７００を示すハイレベルのフローチャートを示す。方法７００は、図３〜６のシステム及び構成要素を参照して説明される。この方法は、本開示の範囲から逸脱することなく、他のシステム及び構成要素によって実施されてもよいことが理解されるべきである。
【００５１】
方法７００は、７０５で開始する。７０５において、方法７００は、サイズ及び色の要求を、本明細書で上述したコード構築装置３０１又は４００などのコード構築装置に入力することを含む。いくつかの例では、オペレータは、１又は複数の選択されたコードの色を入力するためにユーザインターフェースデバイス（例えば、ユーザインターフェース４１８）を使用することができ、オペレータは、製品の所望のサイズをさらに選択してもよい。他の例では、サイズ及び色の要求は、例えば、コード構築装置に通信可能に接続されたコンピュータを介して、コード構築装置に電子的に送信されてもよい。
【００５２】
７１０において、方法７００は、ループ固定具へソールとアイステイを挿入することを含む。いくつかの例では、オペレータは、ループ固定具アセンブリ上にアイステイとソールを予め組み立て、予め組み立てられたループ固定具アセンブリを装置に投入してもよい。他の実施例では、ロボットアームは、コード構築装置内のループ固定具にソールとアイステイを自動的に挿入することができる。
【００５３】
７１５において、方法７００は、装置がアッパーのコード構造体を自動的に構築するように命令することを含む。いくつかの実施形態では、装置にコード構造体を構築するように命令することは、装置に実装された方法を開始することを含み得る。このような方法の一例は、本明細書において図８に関してさらに説明される。このような方法を開始又は実行するように装置に命令することは、オペレータが、例えばタッチスクリーンインターフェース上の装置に配置された「開始」ボタンを押すことを含み得る。
【００５４】
そして、装置は、複数のループをアイステイとソールに自動的に織り込んで、アッパーを含むコード構造体を作り出すことができる。アイステイ及びソールに結合されたコード構造体は、履物用品を構成する。履物物品は、例えば、図１の履物物品を含み得、アッパーを含むコード構造体は、図１及び２に示されるコード構造体を含み得る。
【００５５】
コード構築装置がコード構造体の自動構築を完了した後、方法７００は７２０に進む。７２０において、方法７００は、構築された履物物品を装置から取り出すことを含む。 例えば、オペレータは、ループ固定具をコード構築装置から取り出し、次いでループ固定具から構築された（ソール、アイステイ及びコード構造体を含む）履物物品を取り除くことができる。
【００５６】
７２５において、方法７００は、履物用品の仕上げを含む。履物物品の仕上げは、例えば、ソールの下に延びるループを通して、アンカーコードのコード構造体への取り付けを含むことができる。履物物品の仕上げは、さらに、コード構造体のトリミング及び固定、構築された履物物品への異なる構成要素（例えば、インソール、ヒールカウンタ、トゥキャップ、靴紐（lacing）システムなど）の追加及び使用のための履物物品を完成させる他のステップを含む。いくつかの例では、履物物品を装置から取り外す前に、履物物品をコード構築装置によって自動的に仕上げることができる。例えば、少なくとも１つのロボットアームに、コード構造体にアンカーコードを自動的に取り付けるように命令することができる。方法７００はその後終了する。方法７００は、左履物物品及び右履物物品を構築するために繰り返され得る。
【００５７】
図８は、コード構造体を自動的に生成するための例示的な方法８００を示すハイレベルのフローチャートを示す。方法８００は、コード構造体を構築するためのコード構築装置の制御に関する。方法８００は、図３〜６のシステム及び構成要素を参照して本明細書で以下に説明される。本開示の範囲から逸脱することなく、本方法を他のシステム及び構成要素によって実施されてもよいことが理解されるべきである。方法８００は、コントローラ３１０などのコントローラによって実行され、実行可能命令３１３として非一時メモリ３１２に格納されてもよい。
【００５８】
方法８００は、８０５で開始する。８０５において、方法８００は、色及びサイズの要求を受信することを含む。色の要求は、コード構造体のための１以上の色を含み得る。サイズの要求は、コード構造体の所望のサイズを含み得る。方法８００が履物用品のコード構造体の構築を対象とする実施形態では、サイズの要求は、所望の靴のサイズを含み得る。色及びサイズの要求は、コード構築装置のユーザインターフェースを介して受信されてもよく、又は外部のコンピュータデバイスとの通信を介して受信されてもよい。
【００５９】
８１０において、方法８００は、要求されたサイズに基づいて、第１及び第２ロボットアームのための第１及び第２パス（paths）を自動的に生成することを含む。第１及び第２ロボットアームの第１パスは、第１及び第２ロボットアームが第１ループセットを構築するために沿って動作するパスに対応し、第１及び第２ロボットアームの第２パスは、第１及び第２ロボットアームが、第１ループセットとスリップ可能に係合する第２ループセットを構築するために沿って動作するパスに対応する。一例として、パスは、コード構築装置内において三次元で位置決めされ得るロボットアームの各アームエンドツールの所望の位置を記述することができる。従って、それぞれのパスは三次元であり、さらに、ソレノイドを作動させるような、アームエンドツールが特定の機能を実行し得る場所及び／又は時の指示を含み得る。従って、方法８００は、第１及び第２ロボットアーム用の設定命令を生成することを含み得る。このような設定命令は、第１アームエンドツールが、ループを形成するためにコードを連続的にではなく選択的に供給するように、コードを供給するときに第１アームエンドツールに指示し得る。
【００６０】
８１５において、方法８００は、要求された色を有するアームエンドツールを自動的に選択することを含む。非限定的な例として、第１ロボットアームは、アームエンドツールラックから所望の色のコードが通されたアームエンドツールを自動的に得る。
【００６１】
８２０において、方法８００は、ロボットアームが第１パスに沿って移動するように制御し、コードを供給して第１平面内にループを生成することを含む。ロボットアームを第１パスに沿って移動させるように制御することは、コントローラを介して、８１０で生成された設定命令により第１パスに沿って移動するよう、第１及び第２アームに命令することを含む。第１ロボットアームの第１パスは、第１アームエンドツールが自動的にアームエンドツールを通してコードを供給するパスを表し、一方、第２ロボットアームの第１パスは、第１アームエンドツールがコードを供給するときにコードを所定の位置に保持するように、第２アームエンドツールが配置されるパスを表している。従って、第２アームエンドツールは、部分的に、各ループが作成されるときに自由空間内の一時的なガイドポストとして機能する。第２アームエンドツールは、第１アームエンドツールが次のループを形成するために再配置されている間に、ループの構造を一時的に維持するために、選択された場所にコードを自動的にクランプすることもできる。
【００６２】
例示的な例として、図９は、コード９０３を平面内に供給する第１アームエンドツール用の例示的なパス９０１を示す。第１アームエンドツールは位置９１１で始まり、位置９１１から第１方向９０８（例えば、−ｘ方向）に位置９１２に向かって、コード９０３を供給しながら、指定距離だけ離れて引っ張る。そして、第１アームエンドツールは、コード９０３を供給しながら、位置９１１に向かって第２方向９０９（例えば、＋ｘ方向）に後方に移動し、位置９１１から位置９１３に向かって第２指定距離だけ離れる。第１アームエンドツールは、その後、第１方向９０９（例えば、−ｘ方向）の位置９１２に引き戻されると同時に、以前の位置９１２から距離９１６だけ、引き戻し動作に直交する方向、例えば、図９に示すように＋ｙ方向に移動する。
【００６３】
位置９１１及び９１２はループ固定具上に配置することができるが、通常、位置９１３は自由空間に存在する。そのため、第２アームエンドツールは、第１アームエンドツールがループを作成するのを助けるために、位置９１１と位置９１３との間を移動し得る。 このプロセスはループごとに繰り返される。
【００６４】
さらに、位置９１３は、所望のループサイズよりも位置９１１から離れて位置する。すなわち、コード９０３は、必ずしも第１アームエンドツールの正確なパス９０１に沿うとは限らない。図示されているように、第１アームエンドツールのパス９０１は位置９１３でコードを供給するが、コード９０３のループのエッジは、位置９１１と位置９１３との間のｘ方向に位置する位置９１４に置かれる。言い換えると、第１アームエンドツールは、コード９０３が示されるように配置されるため、予想されるよりも離れた自由空間でコードを供給する。すなわち、位置９１２から位置９１４に延びるループを形成するために、第１アームエンドツールは、位置９１２から位置９１４までの距離よりも大きい、位置９１２から位置９１３までの距離に沿ってコードを供給するように命令される。
【００６５】
第１アームエンドツールによって移動された特定の距離は、履物物品又はコード構造体の要求されたサイズに基づいて決定され、各ループの適切なサイズを決定することができることを理解されたい。
【００６６】
ロボットアームを有する第１ループセットの構成をさらに説明するために、図１０は、コード構造体用の第１ループセット１０３０の例示的な構築物１０００を示す。第１ループセット１０３０は、図１０のｘ−ｙ平面として示される第１平面１０２０に構築される（ｚ軸はページ外に出てくる）。第１アームエンドツール１００５は三角形として示され、第２アームエンドツール１００７は四角形として示される。図示の第１パス１０１０は、コード１００９を供給する第１ロボットアーム又は第１アームエンドツール１００５の第１パスに対応する。第１アームエンドツール１００５は、ループ固定具１００１上に第１ループセットを構築し、ガイドポスト１００２（小さな円で示されている）の間を移動する。
【００６７】
履物物品の構築のために、アイステイ（不図示）は、アイレット１０１５（楕円として示される）がループ固定具１００１のガイドポスト１００２と並ぶように、ループ固定具１００１上に配置され得る。第１アームエンドツール１００５は、第1パス１０１０に沿って移動し、コード１００９を供給して第１ループを生成し、第２アームエンドツール１００７は、第1アームエンドツール１００５を補助するために別の第１パス（不図示）に沿って移動する。一例では、アームエンドツール１００５は、図９に示すようなルーチンでアイレット１０１５通って移動する。アームエンドツール１００５が、点Bから点Cまで、アイレット１０１５を通って移動し、同じアイレット１０１５を通って点Bに引き戻される。結果として得られるループの長さは、上記示し説明したように、第１アームエンドツール１００５が移動する距離よりも短い。
【００６８】
さらに、示されているように、ループの構築は、単一の方向に限定されず、第１平面（例えば、ｘ−ｙ平面）で周囲を取り囲むようにしてもよい。
【００６９】
さらに、いくつかの例では、コードは、第２ロボットアームに引っ掛けられることなく、ソール材料の穴を通して第１ロボットアームによって供給されてもよいことを理解されたい。非限定的な例として、ゴム及びフラッシング（flashing）を含に得るソール材料は、コードに対して剛性及び耐性であり、コードとソール材料との間の摩擦がコードを捕捉し、コードを所定位置に保持する。このようにして、第１ロボットアームの個々のプログラミングポイントを約５００ポイント低減することができる。
【００７０】
再び図８を参照すると、ロボットアームが第１平面内に第１ループセットを作成した後、方法８００は８２５に進む。８２５で、方法８００は、所望のループ数が完了したかどうかを判定する。所望のループ数は選択されたサイズに対応し得、方法８００は、第１ループセット内の所望のループ数が完了するまで継続しなくてもよい。従って、所望のループ数が完了していない場合（「ＮＯ」）、方法８００は８２０に戻る。所望のループ数が完了した場合（「ＹＥＳ」）、方法８００は８３０に進む。
【００７１】
８３０で、方法８００は、第２ループセットに対して異なる色が要求されるかどうかを判定する。異なる色が要求される場合（「ＹＥＳ」）、方法８００は８３５に進む。８３５において、方法８００は、第２の要求された色のアームエンドツールを選択することを含む。方法８００は次に８４０に進む。異なる色が要求されない場合（「ＮＯ」）、方法８００は直接８４０に進み、８１５で選択された同じアームエンドツールを使用し続ける。
【００７２】
８４０において、方法８００は、ロボットアームが第２パスに沿って移動するように制御して、第１平面に直交する第２平面内に、第１ループセットを通るループを作成することを含む。第１ループセットは、ループ固定具のガイドポスト（及び、任意的に、上述したように、コードが通るように供給される複数のアイレットを含むアイステイ）を用いて構築され得るが、第２ループセットは、第１ループセットを用いて構築され得る。例示的な例として、第１ループセットの構築に関して、コードがアイレットを通してどのように供給されるかと同様に、コードは第１ループセット内の各ループを通して供給され得る。
【００７３】
例示的な例として、図１１は、図１０の第１ループセット１０３０のような、既に構築されたループ１０３０を通る第２ループセット１１３０の構築例１１００を示す。第２ループセット１１３０は、第１平面１０２０（例えば、ｘ−ｙ平面）に直交する第２平面１１２０（例えば、ｘ−ｚ平面）内に構築される。第１ループセット１０３０の位置は、コード１１０９が第１ループセット１０３０を通ってどのように供給されるかを示すために、遠近法によって示されている。第１アームエンドツール１１０５（例えば、図１０に示す第１アームエンドツール１００５からなるか、又は、異なる色の糸を備えた異なるアームエンドツールであり得る）は、第１ロボットアームの第２パス１１１０に沿って移動する。第２アームエンドツール１１０７（図１０に示す第２アームエンドツール１００７からなり得る）は、第２ロボットアームの第２パス（不図示）に沿って移動する。（図１０に示すように）第１ループセット１０３０はループ固定具１００１を越えて延在するので、第２ループセット１１３０の構築は、案内のためにループ固定具１００１に依存することは少ない。すなわち、第２ループセット１１３０は、完全に自由空間に構築されてもよい。しかしながら、方法８００がコード付きアッパーを構築することを目的とする実施例では、ソール１１１７は本明細書において上述したようにループ固定具内に配置され得る。ソール１１１７は、第２ループセットを織り込むことができる複数のスロット１１１５を含み得る。このような実施例では、第１アームエンドツール１１０５は、第１ループセットのループを通し、次いで、ソール１１１７のスロット１１１５を通し、そして、同じスロット１１１７を通して引き戻し、同じループを通してコード１１０９を供給し得る。第２アームエンドツール１１０７は、第１アームエンドツールがコード１１０９を供給するときに、第１ループセットのループ又は新たに構築されたループを所定の位置に保持するのを助けることができる。
【００７４】
上述したように、いくつかの実施例では、ソール１１１７とコード１１０９との間の摩擦は、ロット１１１５を通って一旦供給されるとコード１１０９を所定の位置に保持し得るため、第２アームエンドツール１１０７がループを保持する必要がない。そのような例では、複数のループは、第１ロボットアームによって完全に構築されてもよい。
【００７５】
図示されていないが、第１アームエンドツールもまた、図９及び図１０に関して上述したように、ループの所望の長さよりもさらに遠くに延在し得る。しかしながら、いくつかの例では、コード１１０９は、コード１１０９が供給されるパス１１１０に沿って正確に位置し得ることを理解されたい。
【００７６】
再び図８を参照すると、第２ループセットでループを完了した後、方法８００は８４５に続く。８４５で、方法８００は、所望のループ数が完了したかどうかを判定する。所望のループ数が完了していない場合（「ＮＯ」）、方法８００は８４０に戻る。所望のループ数が完了した場合（「ＹＥＳ」）、方法８００は８５０に進む。
【００７７】
８５０において、方法８００は、コード構造体を固定するためのソール又はアンカーループを追加することを任意に含む。第１及び第２ループセットをソールに固定するために、ソール又はアンカーループは、（例えば、図１１に示されるように）ソールの下のループを通して織り込まれてもよい。いくつかの例では、８５０は、コード構築装置のオペレータによって手動で実行されてもよい。方法８００はその後終了する。
【００７８】
このように、コード構造体の自動構築のためのシステム及び方法が提供される。コード構造体は、図１に示す履物物品のような、履物物品に一体化されていてもよく、又はそれを含んでいてもよい。履物物品の構築が記載されているが、このような実施形態は例示的かつ非限定的であり、本明細書に記載の方法及びシステムは、任意のコード構造体の構築に適用され得ることを理解されたい。インターロッキングループを形成するために三次元空間にコードを供給することによってコード構造体を構築する図３に示すシステムのようなシステムは、付加的な製造システムとみなされ得る。
【００７９】
一実施形態では、方法は、少なくとも１つのロボットアームを用いて、第１平面に第１の複数のループを自動的に形成し、前記少なくとも１つのロボットアームを用いて、前記第１平面に直交する第２平面に第２の複数のループを自動的に形成し、前記第２の複数のループは前記第１の複数のループとスリップ可能に係合されている。
【００８０】
当該方法の第１実施例では、前記少なくとも１つのロボットアームは、２以上のロボットアームを含む。第１実施例を任意に含む方法の第２実施例では、前記第１及び第２の複数のループの各ループは、前記２以上のロボットアームの第１アームを自動的に制御して、第１方向において第１位置から第２位置へコードを供給し、前記第１アームを自動的に制御して、前記第１方向と反対の第２方向において前記第２位置から第３位置へ前記コードを供給することにより形成され、前記第１方向及び前記第２方向は、前記第１及び第２平面の一方にあり、前記第１位置から記第２位置までの距離は、前記第２位置から前記第３位置までの距離よりも小さい。第１及び第２実施例の一又はそれ以上を任意に含む方法の第３実施例では、前記コードは、前記第２位置でループ固定台の周りに自動的に供給され、前記２以上のロボットアームの第２アームは、前記コードを自由空間の前記第３位置に自動的に保持する。第１から第３実施例の一又はそれ以上を任意に含む方法の第４実施例では、前記第１の複数のループは、履物物品のアイステイを通って自動的に供給され、前記第１の複数のループは、前記履物物品のバンプ（vamp）部分構造を含む。第１から第４実施例の一又はそれ以上を任意に含む方法の第５実施例では、前記第２の複数のループは、前記履物物品のソールを通って自動的に供給され、前記第２の複数のループは、前記履物物品のランド（rand）部分構造を含む。第１から第５実施例の一又はそれ以上を任意に含む方法の第６実施例では、さらに、前記ソールの外側の前記第２の複数のループを通ってアンカーコードを自動的に供給する。第１から第６実施例の一又はそれ以上を任意に含む方法の第７実施例では、前記第１の複数のループは、ループ固定具の面に沿って供給される。第１から第７実施例の一又はそれ以上を任意に含む方法の第８実施例では、前記第１の複数のループの第１ループは、前記第２の複数のループの少なくとも２つのループと絡み合って摺動可能に移動することができ、前記少なくとも２つのループの第２ループは、前記第１ループを含む前記第１の複数のループの少なくとも２つのループと絡み合って摺動可能に移動することができる。
【００８１】
他の実施形態では、システムは、ループ固定具と、コードを自動的に供給するように構成された第１ロボットアームを含む少なくとも２つのロボットアームと、非一時的メモリに格納された命令を用いて設定されたコントローラであって、実行されると前記コントローラは、前記少なくとも２つのロボットアームを制御して前記コードを自動的に供給し、前記ループ固定具上の第１平面に第1の複数のループを形成し、前記少なくとも２つのロボットアームを制御して前記コードを自動的に供給し、前記第１平面に直交する第２平面に第２の複数のループを形成し、前記第２の複数のループを前記第１の複数のループとスリップ可能に係合する。
【００８２】
当該システムの第１実施例では、前記コントローラは、さらに、前記非一時的メモリの命令を用いて設定され、実行されると、前記コントローラは前記第１ロボットアームのための第１パスを生成し、前記コードを供給して前記第１の複数のループを形成するように前記少なくとも２つのロボットアームを制御することは、前記第１ロボットアームを制御して前記コードを前記第１パスに沿って供給することを含む。第１実施例を任意に含むシステムの第２実施例では、前記コードは第１コードと第２コードを含み、前記第１コードは前記第１の複数のループを形成し、前記第２コードは前記第２の複数のループを形成する。第１及び第２実施例の一又はそれ以上を任意に含むシステムの第３実施例では、前記コントローラは、さらに前記非一時的メモリの命令を用いて設定され、実行されると、前記コントローラは、前記第１の複数のループを形成する前に、前記第１コードで準備された第１アームエンドツールを選択するように前記第１ロボットアームに命令し、前記第２の複数のループを形成する前に、前記第２コードで準備された第２アームエンドツールを選択するように前記第１ロボットアームに命令する。第１から第３実施例の一又はそれ以上を任意に含むシステムの第４実施例では、前記第１アームエンドツールと前記第２アームエンドツールは、前記第１ロボットアームに隣接して配置されたラックに格納されている。第１から第４実施例の一又はそれ以上を任意に含むシステムの第５実施例では、前記少なくとも２つのロボットアームの第２ロボットアームは、前記第１ロボットアームが前記コードを供給して、前記第１及び第２の複数のループを形成するときに、前記コードを選択位置に保持するように構成されたアームエンドツールを含む。第１から第５実施例の一又はそれ以上を任意に含むシステムの第６実施例では、アイステイ及びソールは、前記ループ固定具上に配置され、履物物品を形成するために前記第１の複数のループは前記アイステイを通って供給され、前記第２の複数のループは前記ソールを通って供給される。第１から第６実施例の一又はそれ以上を任意に含むシステムの第７実施例では、前記第１及び第２の複数のループの各ループのサイズは、前記履物物品のサイズに基づいて決定される。
【００８３】
さらに他の実施形態では、システムは、ロボットアームと、前記ロボットアームに通信可能に結合され、非一時的メモリの命令を用いて設定されたコントローラであって、実行されると前記コントローラは、第１平面に第１の複数のループを形成するために前記ロボットアームを制御して第１コードを供給し、前記第１の複数のループの少なくとも１つのループが少なくとも部分的にソールに供給され、前記第１平面に直交する第２平面に第２の複数のループを形成するために前記ロボットアームを制御して第２コードを供給し、前記第２の複数のループを前記第１の複数のループにスリップ可能に係合する。
【００８４】
当該システムの第１実施例では、前記ソールは少なくとも１つの材料を含み、前記少なくとも１つの材料と前記少なくとも１つのループとの間の摩擦は、前記少なくとも１つのループを適所に保持する。第１実施例を任意に含むシステムの第２実施例では、前記第１の複数のループの第１ループは、前記第２の複数のループの少なくとも２つのループと絡み合って摺動可能に移動することができ、前記少なくとも２つのループの第２ループは、前記第１ループを含む前記第１の複数のループの少なくとも２つのループと絡み合って摺動可能に移動することができる。第１及び第２実施例の一又はそれ以上を任意に含むシステムの第３実施例では、システムは、前記ロボットアームの端部に結合されたアームエンドツールをさらに備え、前記アームエンドツールは、前記第１コード及び前記第２コードの少なくとも１つを供給するように構成されている。
【００８５】
他の表現では、方法は、２以上のロボットアームを用いて、第１平面に第１の複数のループを形成し、前記２以上のロボットアームを用いて、前記第１平面に直交する第２平面に第２の複数のループを形成し、前記第２の複数のループは、前記第１の複数のループとスリップ可能に係合している。当該方法の一例では、前記第１及び第２の複数のループの各ループは、第１方向において第１位置から第２位置へコードを引っ張るように前記２以上のロボットアームの第１アームを制御し、前記第１方向と反対の第２方向において前記第２位置から第３位置へ前記コードを引っ張るように前記第１アームを制御し、前記第１方向及び前記第２方向は、前記第１及び第２平面の一方にあり、前記第１位置から記第２位置までの距離は、前記第２位置から前記第３位置までの距離よりも小さい。当該方法の第２例では、コードは、前記第２位置のループ固定具ポストの周りに引っ張られ、前記２以上のロボットアームの前記第２アームは、自由空間の前記第３位置にコードを保持する。
【００８６】
さらに他の表現では、システムは、ループ固定具と、少なくとも２つのロボットアームと、非一時メモリに格納された命令を備えるコントローラであって、実行されると前記コントローラは、前記少なくとも２つのロボットアームを制御して、記ループ固定具上の第１平面に第１の複数のループを形成し、前記少なくとも２つのロボットアームを制御して、前記第１平面に直交する第２平面に第２の複数のループを形成し、前記第２の複数のループを前記第１の複数のループとスリップ可能に係合する。
【００８７】
本明細書に記載される構成および／またはアプローチは、本質的に例示であり、しかも、これら特定の実施形態または例は、制限する意味で考慮されるべきではないことが認識される。なぜなら、多く改変例が可能であるからである。本開示の主題は、本明細書に開示される種々の特徴、機能、作用、および／または性質、ならびにその任意でかつすべての等価物のすべての新規、かつ自明でない組み合わせ、およびサブコンビネーションを含む。
【図１】
2018020096.tif 000003
【図２】
2018020096.tif 000004
【図３】
2018020096.tif 000005
【図４】
2018020096.tif 000006
【図５】
2018020096.tif 000007
【図６】
2018020096.tif 000008
【図７】
2018020096.tif 000009
【図８】
2018020096.tif 000010
【図９】
2018020096.tif 000011
【図１０】
2018020096.tif 000012
【図１１】
2018020096.tif 000013
【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
少なくとも１つのロボットアーム（３０５）を用いて、第１平面（１０２０）に第１の複数のループ（１０３０）を自動的に形成し（８２０）、
前記少なくとも１つのロボットアーム（３０５）を用いて、前記第１平面（１０２０）に直交する第２平面（１１２０）に第２の複数のループ（１１３０）を自動的に形成し（８４０）、
前記第２の複数のループ（１１３０）は前記第１の複数のループ（１０３０）とスリップ可能に係合されている、
方法。
【請求項２】
前記少なくとも１つのロボットアーム（３０５）は、２以上のロボットアーム（３０５、３０７）を含む、
請求項１に記載の方法。
【請求項３】
前記第１及び第２の複数のループ（１０３０、１１３０）の各ループは、前記２以上のロボットアーム（３０５、３０７）の第１アーム（３０５）を自動的に制御して（８２０、８４０）、第１方向（９０８）において第１位置（９１１）から第２位置（９１２）へコード（３２１）を供給し、前記第１アーム（３０５）を自動的に制御して（８２０、８４０）、前記第１方向（９０８）と反対の第２方向（９０９）において前記第２位置（９１２）から第３位置（９１４）へ前記コード（３２１）を供給することにより形成され、
前記第１方向（９０８）及び前記第２方向（９０９）は、前記第１及び第２平面（１０２０、１１２０）の一方にあり、
前記第１位置（９１１）から記第２位置（９１２）までの距離は、前記第２位置（９１２）から前記第３位置（９１４）までの距離よりも小さい、
請求項２に記載の方法。
【請求項４】
前記コード（３２１）は、前記第２位置でループ固定台（１００２）の周りに自動的に供給され、前記２以上のロボットアーム（３０５、３０７）の第２アーム（３０７）は、前記コード（３２１）を自由空間の前記第３位置（９１４）に自動的に保持する（１００７）、
請求項３に記載の方法。
【請求項５】
前記第１の複数のループ（１０３０）は、履物物品（５０）のアイステイ（１０１５）を通って自動的に供給され、前記第１の複数のループ（１０３０）は、前記履物物品（５０）のバンプ（vamp）部分構造（７８）を含む、
請求項１に記載の方法。
【請求項６】
前記第２の複数のループ（１１３０）は、前記履物物品（５０）のソール（１１１７）を通って自動的に供給され、前記第２の複数のループ（１１３０）は、前記履物物品（５０）のランド（rand）部分構造（６８）を含む、
請求項５に記載の方法。
【請求項７】
さらに、前記ソール（１１１７）の外側の前記第２の複数のループ（１１３０）を通ってアンカーコード（７３）を自動的に供給する、
請求項６に記載の方法。
【請求項８】
前記第１の複数のループ（１０３０）の第１ループは、前記第２の複数のループ（１１３０）の少なくとも２つのループと絡み合って摺動可能に移動することができ、前記少なくとも２つのループの第２ループは、前記第１ループを含む前記第１の複数のループ（１０３０）の少なくとも２つのループと絡み合って摺動可能に移動することができる、
請求項１に記載の方法。
【請求項９】
ループ固定具（３１５）と、
コードを自動的に供給するように構成された第１ロボットアーム（３０５）を含む少なくとも２つのロボットアーム（３０５、３０７）と、
非一時的メモリ（３１２）に格納された命令（３１３）を用いて設定されたコントローラ（３１０）であって、実行されると前記コントローラ（３１０）は、
前記少なくとも２つのロボットアーム（３０５、３０７）を制御して（８２０）、前記コード（３２１）を自動的に供給し、前記ループ固定具（３１５）上の第１平面（１０２０）に第1の複数のループ（１０３０）を形成し、
前記少なくとも２つのロボットアーム（３０５、３０７）を制御して（８４０）、前記コード（３２１）を自動的に供給し、前記第１平面（１０２０）に直交する第２平面（１１２０）に第２の複数のループ（１１３０）を形成し、前記第２の複数のループ（１１３０）を前記第１の複数のループ（１０３０）とスリップ可能に係合する、
システム。
【請求項１０】
前記コントローラ（３１０）は、さらに、前記非一時的メモリ（３１２）の命令（３１３）を用いて設定され、実行されると、前記コントローラ（３１０）は前記第１ロボットアーム（３０５）のための第１パス（１０１０）を生成し（８１０）、
前記コード（３２１）を供給して前記第１の複数のループ（１０３０）を形成するように前記少なくとも２つのロボットアーム（３０５、３０７）を制御することは、前記第１ロボットアーム（３０５）を制御して（８２０）前記コード（３２１）を前記第１パス（１０１０）に沿って供給することを含む、
請求項９に記載のシステム。
【請求項１１】
前記コード（３２１）は第１コード（１００９）と第２コード（１１０９）を含み、前記第１コードは（１００９）前記第１の複数のループ（１０３０）を形成し、前記第２コード（１１０９）は前記第２の複数のループ（１１３０）を形成する、
請求項９に記載のシステム。
【請求項１２】
前記コントローラ（３１０）は、さらに前記非一時的メモリ（３１２）の命令（３１３）を用いて設定され、実行されると、前記コントローラ（３１０）は、前記第１の複数のループ（１０３０）を形成する前に、前記第１コード（１００９）で準備された第１アームエンドツール（６００）を選択する（８１５）ように前記第１ロボットアーム（３０５）に命令し、
前記第２の複数のループ（１１３０）を形成する前に、前記第２コード（１１０９）で準備された第２アームエンドツール（６００）を選択する（８３５）ように前記第１ロボットアーム（３０５）に命令する、
請求項１１に記載のシステム。
【請求項１３】
前記第１アームエンドツール（６００）と前記第２アームエンドツール（６００）は、前記第１ロボットアーム（３０５）に隣接して配置されたラック（３１８）に格納されている、
請求項１２に記載のシステム。
【請求項１４】
前記少なくとも２つのロボットアーム（３０５、３０７）の第２ロボットアーム（３０７）は、前記第１ロボットアーム（３０５）が前記コード（３２１）を供給して、前記第１及び第２の複数のループ（１０３０、１１３０）を形成するときに、前記コード（３２１）を選択位置に保持するように構成されたアームエンドツール（４０５）を含む、
請求項９に記載のシステム。
【請求項１５】
アイステイ（１０１５）及びソール（１１１７）は、前記ループ固定具（３１５）上に配置され（７１０）、履物物品（５０）を形成するために前記第１の複数のループ（１０３０）は前記アイステイ（１０１５）を通って供給され、前記第２の複数のループ（１１３０）は前記ソール（１１１７）を通って供給される、
請求項９に記載のシステム。
【手続補正２】
【補正対象書類名】明細書
【補正対象項目名】００１５
【補正方法】変更
【補正の内容】
【００１５】
ソール部分構造体６８は、バンプ取り付け湾曲部７４をさらに含む。バンプ取り付け湾曲部７４は、（例えば、相互接続され、インターロックされ、縫い合わされ、織り合わされ、そして／又は摺動可能に係合されて）コード構造体６６中のバンプ部分構造体７８に含まれるランド取り付け湾曲部７６に結合される。バンプ取り付け湾曲部７４とランド取り付け湾曲部との間の相互接続は、ループライン６９を形成する。ループライン６９は、ランド部分構造体６８とバンプ部分構造体７８との間の境界であり得る。ループライン６９は、履物物品５０の踵側６０から履物物品のつま先側５８の方向に延びる。ループライン６９はまた、履物物品５０の脛骨側６２から履物物品の腓骨側６４まで延びる。ループライン６９は、履物物品の周りに周縁に延在してもよく、一例では、アッパー全体を横切っていてもよい。さらに、ループライン６９は、履物物品５０の少なくとも一部の周りに弧状に延び得ることが理解されるであろう。他のループライン構成も企図され得る。例えば、ループラインは、第１側方側から第２側方側に、履物物品を横切って延び得る。さらに、他の例では、ループラインは、ヒールカウンタの第１側からヒールカウンタの第２側に弧状に履物物品の周りに延び得る。さらに他の例では、ループラインは、履物物品を横切って側方に延びてもよく、履物物品の前部（例えば、つま先側）の周りに弧状に延びてもよい。さらに他の例では、ループラインは、履物物品のつま先側又は踵側に隣接する部分のような、履物物品の一部の周りにのみ延在してもよい。さらにまた一例では、履物物品は、複数のループラインを含み得る。
【手続補正３】
【補正対象書類名】明細書
【補正対象項目名】００２８
【補正方法】変更
【補正の内容】
【００２８】
履物物品５０はまた、ヒールカウンタ９７を含み得る。ヒールカウンタ又は履物物品の他の支持構造体が、上述されたアッパーに含まれ得る。ヒールカウンタ９７の剛性（rigidity）／可撓性は、コード構造体６６への所望の量の支持を提供するように選択され得ることが理解される。具体的には、ヒールカウンタ９７は、コード構造体が、所望されない量、ソールに向かう方向に外方及び／又は下方に曲がることを防ぎ得る。このようにして、コード構造体は、所望の形状を維持し得る。結果として、履物物品の着用者は、履物物品を迅速かつ心地良く履き、脱ぎ得る。ヒールカウンタ９７は、皮革、合成皮革、織物などのような、コード構造体６６とは異なる材料を含み得る。しかし、いくつかの例では、踵（heal）支持構造体はまた、コードを含み得る。いくつかの例では、ループライン６９は、ヒールカウンタ９７を通って延び得る。さらに、ヒールカウンタ９７は、ソール５２に連結され得る。具体的には、いくつかの例では、ヒールカウンタ構造体は、ソール５２から（例えば、垂直又は角度をなして）延び得る。ヒールカウンタ９７は、示された例では、ランド部分構造体６８に連結されている。接続コード９８は、ランドサブ構造体６８中の湾曲部を通り、ヒールカウンタ９７中の開口部９９を通って延びているのが示されている。このようにして、ヒールカウンタ９７は、コード構造体への支持を提供し、コード構造体の一部を外部環境から保護する。さらに又は代替的に、ヒールカウンタ９７は、バンプ部分構造体７８に連結されてもよく、それによって部分構造体への支持を提供する。ヒールカウンタは、コード構造体６６より大きい剛性（rigidity）を有し得る。一例では、接続コード９８は、バンプコード８６又はランドコード８４の一部分であり得る。さらにコード構造体の一部は、ヒールカウンタ９７の幅の周りに延びる。しかし、他のヒールカウンタ構成が企図される。一例では、コード構造体のコードの端部は、ヒールカウンタに連結され得るか、そして／又はヒールカウンタ内で互いに連結されてもよい。一例では、ヒールカウンタ９７は、側面方向より長手方向でより大きな剛性（stiffness）を有し得る。支持体の垂直の補強は、コード構造体に所望の量の支持を提供し得る。しかし、他のヒールカウンタ９７材料特性が企図されている。
【手続補正４】
【補正対象書類名】明細書
【補正対象項目名】００６２
【補正方法】変更
【補正の内容】
【００６２】
例示的な例として、図９は、コード９０３を平面内に供給する第１アームエンドツール用の例示的なパス９０１を示す。第１アームエンドツールは位置９１１で始まり、位置９１１から第１方向９０８（例えば、−ｘ方向）に位置９１２に向かって、コード９０３を供給しながら、指定距離だけ離れて引っ張る。そして、第１アームエンドツールは、コード９０３を供給しながら、位置９１１に向かって第２方向９０９（例えば、＋ｘ方向）に後方に移動し、位置９１１から位置９１３に向かって第２指定距離だけ離れる。第１アームエンドツールは、その後、第１方向９０８（例えば、−ｘ方向）の位置９１２に引き戻されると同時に、以前の位置９１２から距離９１６だけ、引き戻し動作に直交する方向、例えば、図９に示すように＋ｙ方向に移動する。
【外国語明細書】
2018020096000001.pdf